【事件の表示】
　平成　４年特許願第１８５４７７号「表示装置」拒絶査定に対する審判事件［平成　６年　２月１０日出願公開、特開平　６−　３７９４３］について、次のとおり審決する。
【結　論】
　本件審判の請求は、成り立たない。
【理　由】
１．手続の経緯・本願発明
　本願は、平成４年７月１３日の出願であって、その請求項１に係る発明は、平成１２年１１月１０日、及び平成１３年７月５日付けの手続補正書により補正された明細書及び図面の記載からみて、本願の特許請求の範囲の請求項１に記載されたとおりの次のものと認める。
「【請求項１】　複数の機能を有する画像形成装置に搭載される表示装置において、
　機能の設定に関する情報をあらかじめ製造者によって決められた表示画面上の所定位置に表示する表示手段と、
　前記情報の表示位置に関して同一表示画面内の前記所定位置とは異なる表示位置を指定する表示位置指定手段と、
　該表示位置指定手段によって指定された表示位置に前記情報を表示させる表示位置変更手段と、
を備えたことを特徴とする表示装置。」
　
２．引用例 
（１）引用例
　これに対して、原審の拒絶理由に引用された、特開平４−１９１７５６号公報（公開日平成４年７月１０日）（以下「引用例」という。）には、次の事項が記載されている。
（ア）「コンソールパネル４は、第４図に示すように、同パネル４上に配置された用紙サイズ、倍率、複写枚数などの設定／入力、スタート、ストップ、割り込み、設定確認などの操作を行うためのハードキーとしてのボタン３５と液晶ディスプレイ（以下、ＬＣＤという。）３６上に表示される機能に対応して表示部分に設けられたタッチキーとしてのボタン（図示せず。）を備えている。」（引用例の４頁上右欄１７行〜同頁下左欄４行）
（イ）「また、ユーザーが頻繁に使用する機能の選択を容易にするために、ユーザーが仕様設定で設定したボタンを基本画面で表示することができる。これをユーザー設定ボタン２０６と呼び、仕様設定機能により、設定された機能ボタンとして動作する。これについては後で詳細に説明する。」（引用例の９頁上左欄１〜６行）
（ウ）「このユーザー設定ボタン２０６のデフォルトは第１２図に示す“ユーザー設定”が表示されるが以下に述べる仕様設定モードで機能を指定した後は、その機能の名称が表示される。
　・・・（中略）・・・
ユーザー設定できる機能は第１表に示す。第１表に示す各機能は応用画面（第１３図）、専門画面（第１４図）で表示される機能である。」（引用例の９頁下右欄１〜１４行）
（エ）「なお、上記実施例では第１表に示す応用画面、専門画面に表示されている機能しかユーザー設定ができないが、前記各機能の下位レベルの機能、すなわち、応用画面、専門画面上の機能の下位レベルのパラメータを直接ユーザー設定する設計にしてもよい。
　また、第１２図に示す例では一個のユーザー設定ボタン２０６しか備えていないが、ＬＣＤ画面３６のスペースが許す限りの個数のユーザー設定ボタン２０６を備えることができる。さらに、機能入力のための基本となるＬＣＤ画面３６上にユーザー設定ボタン２０６のみが設定できる構成としてもよい。」（引用例の１０頁上左欄１８行〜同頁上右欄１０行）
（オ）「第１表の「設定なし」を除いたいずれかのボタン機能の設定があるとこれが登録され、基本画面のユーザー設定ボタン２０６が当該指定された機能名が表示されることになる。」（引用例の１０頁上右欄２０行〜同頁下左欄３行）
と記載されているから、これらの記載より引用例１には次の発明が記載されている。
「用紙サイズ、倍率、複写枚数などの設定／入力、スタート、ストップ、割り込み、設定確認などの操作を行うためのハードキーとしてのボタン３５と、液晶ディスプレイ（ＬＣＤ）３６と、ＬＣＤ３６上に表示される機能に対応して表示部分に設けられたタッチキーとしてのボタン（図示せず。）とを備えた、記録装置のコンソールパネル４において、
　ＬＣＤ３６上に表示された、基本画面内に表示された上記ユーザー設定ボタン２０６は、ユーザーが頻繁に使用する機能の選択を容易にするために、ユーザーが仕様設定で設定できるようなっており、仕様設定機能により、設定された機能ボタンとして動作し、
　さらに、上記ユーザー設定ボタン２０６のデフォルトは“ユーザー設定”が表示されたいるが、ユーザーが応用画面、専用画面で表示される機能を指定した後は、その機能の名称が表示され
ることを特徴とするＬＣＤ３６を有する記録装置のコンソールパネル。」
　
３．対比
　そこで、本願請求項１に係る発明（以下、本願発明という。）と引用例の発明とを比較すると、
　引用例の「記録装置のコンソールパネルの液晶ディスプレイ（ＬＣＤ）」、は、本願発明の「複数の機能を有する画像形成装置に搭載される表示装置」に相当すると認められ、
　また、引用例ではユーザー設定ボタン２０６のデフォルトが「ユーザー設定」であり、あらかじめ、第１２図のように「ユーザー設定」の表示が行われているものであり、この「ユーザー設定」の表示は第１表の「設定なし」で設定することもできるのであるから、これは、「機能の設定に関する情報をあらかじめ製造者によって決められた表示画面上に表示」しているものと認められ、画面上に機能の設定に関する情報を所定位置に表示するためには、表示手段が必要なことも明らかなことであり、
　さらに、引用例のものは、応用画面、専門画面で表示されたいた機能を、ユーザーが指定することにより、基本画面上のユーザー設定ボタン２０６の所に、その機能情報を表示することができるものであるから、表示画面上に同時に表示されるかされないかの相違はあるが、液晶ディスプレイの画面上に表示される、応用画面、専門画面で表示される機能を指定して、基本画面上のユーザー設定ボタン２０６の位置を指定して、その表示位置を変更しているから、このような動作を行うには、もちろん表示位置指定手段、表示位置変更手段に相当する手段が用いられているものと認められるから、
両者は、
「複数の機能を有する画像形成装置に搭載される表示装置において、
　機能の設定に関する情報をあらかじめ製造者によって決められた表示画面上の所定位置に表示する表示手段と、
　前記情報の表示位置に関して異なる表示位置を指定する表示位置指定手段と、
　該表示位置指定手段によって指定された表示位置に前記情報を表示させる表示位置変更手段と、
を備えたことを特徴とする表示装置。」
点で一致し、下記の点において相違する。
　
（相違点）
　本願発明のものが、機能の設定に関する情報をあらかじめ製造者によって決められた表示画面上の所定位置に表示し、その情報の表示位置に関して同一表示画面内の前記所定位置とは異なる表示位置を指定して、その指定された表示位置に前記情報を表示させるようにしているのに対して、引用例のものは、応用画面、専門画面で表示される機能を、基本画面内のユーザー設定ボタン２０６位置に指定して表示する点。
　
４．当審の判断
　一般的に、画面上に表示された、機能を設定に関する情報の表示位置を適宜動かすことは当業者が必要に応じて通常を行っていることである。
　さらに、引用例のものはタッチパネルを用いているが、タッチパネルにおいて、キーの表示位置を変更することは周知のことである（例えば、特開平４−９８４１５号公報、特開平４−１３４５２２号公報等を参照。）。
　 したがって、引用例のものにおいても、あらかじめ製造者によって決められた表示画面上の所定位置に表示されている機能の設定に関する情報を、前記情報の表示位置に関して同一表示画面内の前記所定位置とは異なる表示位置を指定し、指定された表示位置に前記情報を表示させるようにすることは、当業者が容易に考えられることである。さらに、これらのことを、表示手段と、表示位置指定手段と、及び表示位置変更手段とを設けて行うことは当業者にとってなんら困難なことではない。
　
５．むすび
　したがって、本願発明は引用例に記載された発明に基づいて当業者が容易に発明をすることができたものであるので、特許法第２９条第２項の規定により特許を受けることができない。
　よって、結論のとおり審決する。